(57)【要約】【課題】側面、天面、および、底面を備えた収容ケースを紙管から形成させることにより、強度を向上させることができ、胴膨れ防止し、省スペース性、クリーン性に優れた収容ケースを安価に提供することを課題とする。【解決手段】軸方向に沿って折り曲げられた紙管により形成される側面と、側面の上縁に折れ線を介して連設された天面を構成する天面フラップと、側面の下縁に折れ線を介して連設された底面を構成する底面フラップと、を備えてなる収容ケース。【選択図】図２
2013224173.tif 000002
【特許請求の範囲】
【請求項１】
軸方向に沿って折り曲げられた紙管により形成される側面と、
側面の上縁に折れ線を介して連設された天面を構成する天面フラップと、
側面の下縁に折れ線を介して連設された底面を構成する底面フラップと、
を備えてなる収容ケース。
【請求項２】
側面うち少なくとも対向する２面には、縦方向（軸方向）に沿って天面フラップ側の折れ線近傍から底面フラップ側の折れ線近傍まで至る罫線が設けられていることを特徴とする請求項１に記載の収容ケース。
【請求項３】
隣り合う天面フラップおよび底面フラップのうち少なくともその一つには、切り込みが設けられておらず連設されていることを特徴とする請求項１から請求項２に記載の収容ケース。
【請求項４】
側面が４面からなり、天面フラップおよび底面フラップのうち少なくともその一つには、対向する２側面の上下縁の折れ線を底辺としフラップの先端の辺の中点を頂点とする折込二等辺三角板と折込二等辺三角板側に谷折りさせる折込板とを有する内フラップと、他の２側面の上下縁には内フラップを覆う外フラップと、を備えてなることを特徴とする請求項１から請求項３に記載の収容ケース。
【発明の詳細な説明】
【技術分野】
【０００１】
収容ケースに関する。
【背景技術】
【０００２】
従来より、紙製の収容ケースとして、段ボールなどの一枚のブランクシートを打ち抜き、折り曲げて形成される段ボールケースが開示されている（例えば、下記特許文献１参照）。例えば、ブランクシートを縦方向に同方向に折り曲げて筒状体からなる側面を形成した後、側面の上縁および下縁を折り曲げて、天面および側面を形成させることにより製造される。
【０００３】
ブランクシートから筒状体を形成させるには側面の一端に設けられた貼着片を他端に貼着させる必要がある。貼着部は他の部位と比較して強度が劣るため、大きな衝撃や荷重が加えられたりすると、破損し被収容体を破壊してしまうおそれがある。また、段ボールのブランクシートを打ち抜く際に、打ち抜いた端面からライナーや中芯などの紙粉が発生し、クリーン性を求められる被収容体には不適であるという問題がある。
【０００４】
さらに、段ボールケースは、多段積みを行った際に、縦方向の荷重により側面に胴膨れが発生しないように、段ボール板を適宜設計しなくてはならない。より高強度を要求される場合は、２層や３層構造からなる高価な強化段ボールが使用される。しかし、強化段ボールケースは、厚みを要するため、内容積が小さくなり、輸送効率が低下し、物流費用が嵩んでしまうという問題がある。また、折り畳んだ際に嵩んでしまい、より広い保管スペースが必要となるという問題もある。また、被収容体として飲料、食品、化学品、医薬品などの消耗品を収容するために用いられることが多いため、安価であることが強く要望され、製造コストが高いことは決して無視できるものではない。
【先行技術文献】
【特許文献】
【０００５】
【特許文献１】特開２００１−１８０６５８号公報
【発明の概要】
【発明が解決しようとする課題】
【０００６】
本発明はこのような従来技術の実情に鑑みてなされたものであり、側面、天面、および、底面を備えた収容ケースを紙管から形成させることにより、強度を向上させることができ、胴膨れ防止し、省スペース性、クリーン性に優れた収容ケースを安価に提供することを課題とする。
【課題を解決するための手段】
【０００７】
本発明者らは上記課題を解決すべく、鋭意研究を重ねた結果、本発明に係る収容ケースは、軸方向に沿って折り曲げられた紙管により形成される側面と、側面の上縁に折れ線を介して連設された天面を構成する天面フラップと、側面の下縁に折れ線を介して連設された底面を構成する底面フラップと、を備えてなる。
【０００８】
これによれば、紙管を折り曲げることにより、側面、天面フラップ、および底面フラップを形成させることができるため、側面の周方向に接合部を設ける必要がなく、強度面に優れた収容ケースを提供することができる。さらに、紙管よりなるため、段ボールに比べ厚みを薄くでき、省スペース化を図ることができる。
【０００９】
また、側面うち少なくとも対向する２面には、縦方向（軸方向）に沿って天面フラップ側の折れ線近傍から底面フラップ側の折れ線近傍まで至る罫線が設けられている収容ケースであってもよい。
【００１０】
これによれば、側面に設けられた罫線によって側面における外側方向への膨らみを抑制し、側面の胴膨れを防止することができる。
【００１１】
また、隣り合う天面フラップおよび底面フラップのうち少なくともその一つには、切り込みが設けられておらず連設されている収容ケースであってもよい。
【００１２】
これによれば、隣り合う側面から延びる天面フラップおよび底面フラップのうち少なくともその一つに、フラップを分離させるための切り込みが設けられていないため、フラップの切り込みの端面部分からの紙粉の発生を抑制することができる。
【００１３】
また、側面が４面からなり、天面フラップおよび底面フラップのうち少なくともその一つには、対向する２側面の上下縁の折れ線を底辺としフラップの先端の辺の中点を頂点とする折込二等辺三角板と折込二等辺三角板側に谷折りさせる折込板とを有する内フラップと、他の２側面の上下縁には内フラップを覆う外フラップと、を備えてなる収容ケースであってもよい。
【００１４】
これによれば、収容ケースの組み立て、解体が容易な収容ケースを簡単な構成によって提供することができる。
【発明の効果】
【００１５】
本発明によれば、紙管を折り曲げることにより、側面、天面、および底面を形成させることができるため、一枚のブランクシートから形成された収容ケースに比べ、強度面に優れ、省スペース化に対応した、衛生的な収容ケースを簡単な構成によって、安価に提供することができる。
【図面の簡単な説明】
【００１６】
【図１】第１の実施形態の収容ケースにおける紙管からの形成過程を示す図である。
【図２】第１の実施形態の収容ケースの側面を形成させた状態を示す斜視図である。
【図３】第１の実施形態の収容ケースにおける天面の形成過程を示す斜視図である。
【図４】第１の実施形態の収容ケースにおける天面の形成過程を示す平面図である。
【図５】第２の実施形態の収容ケースの側面を形成させた状態を示す斜視図である。
【発明を実施するための形態】
【００１７】
以下、本発明のその好ましい実施形態について図面を参照しつつ説明する。
【００１８】
＜第１の実施形態＞
本発明に係る収容ケースの第１の実施形態について図１から図４を参照しつつ説明する。
【００１９】
第１の実施形態における収容ケース１は、図１に示すような紙管２から形成されている。紙管２は紙を主成分とする複数枚の紙テープをマンドレルに螺旋状に積層させて接着してなるスパイラル巻きや幅広の紙テープをマンドレルの軸方向に対して直交方向に巻きつけることにより積層させて接着してなる平巻きによって形成させることができる。紙管２のサイズは適宜設計されるが、その一例を挙げると、内径２９３ｍｍ、厚み１.５ｍｍ、長さ４６０ｍｍであり、紙管原紙が３枚積層されたスパイラル紙管である。紙テープの構成は特に限定されるわけではなく、被収容物の特性や重量に合わせ適宜設計され、ポリオレフィンなどの樹脂層やアルミなどの金属箔によりバリア性を付与させることもできる。
【００２０】
円筒状の紙管２を軸方向に沿って、４本の折れ線ａ１で山折りに折り曲げることにより、図２に示すような、角筒状の紙管が形成される。さらに、折れ線ａ１を側縁とし、縦方向（軸方向）に対して直交方向に設けられた上下２本の折れ線ａ２，ａ３をそれぞれ上縁、下縁とする側面３，４，５，６が４面形成されている。
【００２１】
側面３，４，５，６の上縁には折れ線ａ２を介して天面を構成する天面フラップ３１，４１，５１，６１が形成されている。さらに、側面３，４，５，６の下縁には折れ線ａ３を介して底面を構成する底面フラップ３２，４２，５２，６２が形成されている。
【００２２】
天面フラップ３１，４１，５１，６１は、折れ線ａ１を介して連接しており、内フラップ７と外フラップ８とを備えている。内フラップ７は、対向する２側面３，５の上縁と連設し、それぞれ側面３，５の上縁の折れ線ａ２を底辺とし、天面フラップ３１，５１の先端の辺の中点を頂点とする折込二等辺三角板７１と、折り線ａ４により折込二等辺三角板７１側に折り込まれる２つの折込板７２とを備えている。外フラップ８は、他の２側面４，６の上縁と折れ線ａ２を介して連設し、内フラップ７を覆うようにして折り込むことにより天面を形成させる。
【００２３】
底面フラップ３２，４２，５２，６２は、折れ線ａ１を介して連接しており、内フラップ７と外フラップ８とを備えている。内フラップ７は、対向する２側面３，５の下縁と連設し、それぞれ側面３，５の下縁の折れ線ａ３を底辺とし、底面フラップ３２，５２の先端の辺の中点を頂点とする折込二等辺三角板７１と、折り線ａ４により折込二等辺三角板７１側に折り込まれる２つの折込板７２とを備えている。外フラップ８は、他の２側面４，６の下縁と折れ線ａ３を介して連設し、内フラップ７を覆うようにして折り込むことにより底面を形成させる。
【００２４】
図３、図４に示すように、底面フラップ３２，４２，５２，６２の内フラップ７を折り込み、外フラップ８で覆い、外フラップ８の先端の辺どうしを粘着テープ９等により止めることにより底面が形成される。また、天面フラップ３１，４１，５１，６１の内フラップ７を折り込み、外フラップ８で覆い、外フラップ８の先端の辺どうしを粘着テープ９等により止めることにより天面が形成される。
【００２５】
各々の側面３，４，５，６には縦方向（軸方向）に沿って、少なくとも天面フラップ３１，４１，５１，６１側の折れ線ａ２近傍から底面フラップ３２，４２，５２，６２側の折れ線ａ３近傍に至るまで罫線ｂが設けられている。これにより、経時的に側面が外側方向に膨らみ、円筒状に変形することを抑制し、各側面を平坦に保持することができる。さらに、罫線ｂは天面フラップ３１，４１，５１，６１の先端の辺の近傍から底面フラップ３２，４２，５２，６２の先端の辺の近傍に至るまで設けられていることが好ましい。フラップ部分の折り曲げを容易にし、天面、底面を平坦に形成させることができるからである。
【００２６】
罫線ｂは各々の側面３，４，５，６に周方向に等間隔で数本ずつ設けられている。しかし、側面のうち少なくとも対向する２面に罫線ｂが設けられていればよく、罫線ｂの間隔や本数は適宜設計できる。罫線ｂの溝の深さは折れ線ａ１，ａ２，ａ３，ａ４の深さとほぼ同一、または浅くなるように形成されている。収容ケースとしての強度を低下させずに、円筒状の紙管を矩形の収容ケースに容易に変形させるためである。罫線ｂは側面３，４，５，６の外側から内側（収容側）に向けて溝を形成させるのが好ましい。側面の胴膨れを防止するためである。また、罫線ｂは軸方向に折れ線ａ１を形成させる際に同時に形成させるのが、工程上好ましい。
【００２７】
上記実施形態において、対向する２側面３，５側に、天面フラップおよび底面フラップの内フラップ７が設けられているが、天面フラップの内フラップ７を対向する２側面３，５側に設け、底面フラップの内フラップ７を他の２側面４，６側に設けることもできる。また、上記実施形態において、天面フラップ３１，４１，５１，６１および底面フラップ３２，４２，５２，６２の両方に本実施形態のフラップが設けられているが、少なくともその一方に設けられていてもよい。
【００２８】
＜第２の実施形態＞
次に、本発明に係る収容ケースの第２の実施形態について図５を参照しつつ説明する。以下の説明では、第１の実施形態と異なる構成について説明することとし、同一の構成については同一の符号を付し、その説明を省略する。
【００２９】
図５に示すように、隣り合う天面フラップ３１，４１，５１，６１どうしは先端の辺から側面の上縁の折れ線ａ２近傍に至るまでの切り込みｃにより分離されている。さらに、隣り合う底面フラップ３２，４２，５２，６２どうしは先端の辺から側面の下縁の折れ線ａ３近傍に至るまでの切り込みｃにより分離されている。これにより天面フラップ４枚および底面フラップ４枚が形成され、従来の天底４枚フラップの収容ケースと同様に組立、解体を行うことができる。
【００３０】
上記実施形態において、フラップへの切り込みｃが天面フラップ３１，４１，５１，６１および底面フラップ３２，４２，５２，６２に設けられているが、天面フラップおよび底面フラップの少なくともその一方に設けられていてもよい。
【００３１】
上記各実施形態において、紙管２は、円筒形のものを説明したが、紙管の形状は特に限定されず、角紙管、楕円形紙管、その他形状の筒状であっても良い。角紙管を用いる場合は軸方向の沿った折れ線ａ１を設けなくてもよい。
【００３２】
上記各実施形態において、罫線ｂは天面フラップ３１，４１，５１，６１の先端の辺から底面フラップ３２，４２，５２，６２の先端の辺に至るまで一直線に設けられているものを説明したが、側面の罫線、天面フラップの罫線および底面フラップの罫線を紙管の周方向にずらしたものであってもよい。
【００３３】
以上、図面を参照して本発明の実施形態を説明したが、本発明は、図示した実施形態のものに限定されない。図示された実施形態に対して、本発明と同一の範囲内において、あるいは均等の範囲内において、種々の修正や変形を加えることが可能である。
【符号の説明】
【００３４】
１  収容ケース
２  紙管
３，４，５，６  側面
３１，４１，５１，６１  天面フラップ
３２，４２，５２，６２  底面フラップ
７  内フラップ
７１  折込二等辺三角板
７２  折込板
８  外フラップ
ａ１  軸方向の折れ線
ａ２  側面上縁の折れ線
ａ３  側面下縁の折れ線
ａ４  内フラップの折れ線
ｂ  罫線
ｃ  切り込み
【図１】
2013224173.tif 000003
【図２】
2013224173.tif 000004
【図３】
2013224173.tif 000005
【図４】
2013224173.tif 000006
【図５】
2013224173.tif 000007